(57)【要約】 【課題】玄関前のレイアウトを変化させることができる三角型の玄関ユニットの提供。【解決手段】玄関ユニット１０は、表示パネル面となる第１面１１０のほか、第２面および第３面とを備え、それらの各面が相俟って、断面形状が三角型のケーシングを構成する。この玄関ユニット１０は、玄関扉３０に隣接する入れ隅部に設置する第１の取り付け形態と、玄関扉３０の面に沿う建物壁面５１に取り付ける第２の取り付け形態とのいずれの形態にも選択的に取り付けることができる。【選択図】図２
0003180981.tif 000002
【実用新案登録請求の範囲】
【請求項１】
長手方向の軸線をもち、その軸線に直交する方向の断面形状が三角型のケーシングを備え、その三角型ケーシングの一面を玄関扉に隣接する建物壁面に沿わせるように設置する玄関ユニットであって、次の各技術的特徴を備える、三角型の玄関ユニット。
Ａ  その三角型のケーシングは、表示パネル面となる第１面のほか、その第１面に交わり、第１面と相俟って全体として三角型を形作る第２面および第３面を含む。
Ｂ  第２面および第３面は、ケーシングとしてのカバー機能をもち、それら第２面あるいは第３面の少なくとも一方が、玄関扉に隣接する建物壁面への取り付け面となる。
Ｃ  建物壁面へ取り付ける場合、建物壁面が交差する隅部に、第２面、第３面の両面を各建物壁面に沿わせるように設置する第１形態と、第２面、第３面の少なくとも一方を、玄関扉に隣接する建物壁面に沿わせるように設置し、第２面、第３面の他方について、建物壁面と相協力して、後ろ一面および左右の両側面が閉じた仕切り空間を構成する第２形態とのいずれかの取り付け形態を選択することができる。
【請求項２】
前記三角型のケーシングの内部には、インターホンが内蔵されており、玄関扉の前に立つ人が、玄関扉の面に交差する第１面に向かって、インターホンでの通話を行うことができる、請求項１の玄関ユニット。
【請求項３】
前記第２面および第３面は、互いに同様な構成であり、前記第１面と交わる側に複数の折り曲げ部があり、それにより、同じ第２面あるいは第３面の他の部分よりも機械的な強度が大きくなっている、請求項１の玄関ユニット。
【請求項４】
第１面はプラスチック板材、また、第２面および第３面は金属板材から、それぞれ構成されている、請求項１の玄関ユニット。
【請求項５】
前記インターホンのほか、表札、照明、物入れの少なくとも一つの機能を併せ備える、請求項１の玄関ユニット。
【考案の詳細な説明】
【技術分野】
【０００１】
この考案は、玄関扉の近くに設置する玄関ユニットであり、特には、断面形状が三角型のケーシングを備えるものに関する。
【背景技術】
【０００２】
この種の玄関ユニットは、表札、インターホン（各種の居住者との通話装置を含む）、郵便や新聞あるいは牛乳などの物入れ、さらには照明などのいくつかの機能を組み込んだユニットである。これらのユニットの形態は、一般に、厚さのある平型であり、玄関扉に隣接する建物壁面に沿わせるように設置する（特許文献１や特許文献２参照）。
【０００３】
また、そのような平らな壁面上ではなく、玄関前の入れ隅部分に三角型の収納棚を配置し、その棚に表札やインターホン機能を備えるようにしたものも知られている（特許文献３）。
【先行技術文献】
【特許文献】
【０００４】
【特許文献１】特開平８−２９９１５３号公報
【特許文献２】特開平１１−２７０２３４号公報
【特許文献３】特許第４１３８４５４号公報
【考案の概要】
【考案が解決しようとする課題】
【０００５】
三角型のものは、表示面が玄関扉の面に交差することから、平型のものに比べて、玄関扉の前に立つ訪問者にとって表示面の表札などが見やすく、インターホンによる通話もやりやすいという利点がある。しかし、前記した特許文献３のように、今までの三角型のものは、玄関前の入れ隅部分のコーナーに専ら設置するための単なる棚である。そのため、マンションなどの集合住宅などに求められる設計上の要求、たとえば、共有通路に面する玄関先のイメージを変化させ、集合住宅のグレードを高めるといった要求に対し必ずしも有効に応えることができない。
【０００６】
そこで、この考案では、三角型のものの利点を生かしつつ、玄関前のレイアウトを変化させることができる玄関ユニットを提供することを目的とする。
【０００７】
また、この考案は、簡単な構成で必要とする機械的強度を得ることができる三角型の玄関ユニットを提供することを他の目的とする。この考案のさらなる目的については、今後の説明から明らかになるであろう。
【課題を解決するための手段】
【０００８】
この考案の三角型の玄関ユニットは、断面が三角型のケーシングを備えるほか、基本的に、次のような各技術的特徴を備える。
Ａ  その三角型のケーシングは、表示パネル面となる第１面のほか、その第１面に交わり、第１面と相俟って全体として三角型を形作る第２面および第３面を含む。
Ｂ  第２面および第３面は、ケーシングとしてのカバー機能をもち、それら第２面あるいは第３面の少なくとも一方が玄関扉に隣接する建物壁面への取り付け面となる。
Ｃ  建物壁面へ取り付ける場合、建物壁面が交差する隅部に、第２面、第３面の両面を各建物壁面に沿わせるように設置する第１形態と、第２面、第３面の少なくとも一方を、玄関扉に隣接する壁面に沿わせるように設置し、第２面、第３面の他方について、建物壁面と相協力して、後ろ一面および左右の両側面が閉じた仕切り空間を構成する第２形態とのいずれかの取り付け形態を選択することができる。
【０００９】
表示パネル面となる第１面は、通常、居住者の名前を示す表札を含み、また、最も目に留まる部分であるので、たとえばアクリル板などのプラスチック板材を用いて外観的に美的に作り出す。それに対し、第２面および第３面は、カバー機能が大切であり、一般的には、たとえば亜鉛めっき鋼板などの金属板材を用いて、内部空間を外部から遮断するようにする。第２形態の場合、仕切り空間に面する面は外部に露出するので、表面に塗装処理を施すのが良い。また、第２面および第３面は、カバー機能の点から、一般的には内外を完全に遮断する構成にするが、たとえば微細な穴を設けることにより、区画する内外を通気可能な構成にすることもできる。
【００１０】
第２面および第３面は、第１面と相俟って断面形状が三角型を作り出すが、入れ隅部分に配置することを考慮し、通常は、三角の一つを直角とし、第２面、第３面が作る各辺の長さを等しくする。勿論、第２面と第３面との交差角度は、玄関前の建物壁面の交差角度に合わせるようにするのが好ましい。しかし、玄関ユニット側の第２面あるいは第３面と建物壁面との間にクリアランスを設けるような場合には、玄関ユニット側と建物壁面側との各交差角度を違えるようにすることもできる。
【００１１】
ここで、第２面および第３面は、対称的な構成にすることができるし、表示パネル面となる第１面を、第２面、第３面の両方によって支持する構成にすることができる。第２面と第３面が交差し、入れ隅に向かう角度をもつ端部分は、一方をＬ状などに折り曲げることにより互いを結合する。それに対し、第２面、第３面の他の端部分、つまり、第１面と交わる、あるいは第１面を支持する側については、複数の折り曲げ部を設けることにより、ケーシングの機械的な強度を高めるようにするのが好ましい。
【図面の簡単な説明】
【００１２】
【図１】この考案の玄関ユニットの取り付けの第１形態を示す図である。
【図２】この考案の玄関ユニットの取り付けの第２形態を示す図である。
【図３】この考案の玄関ユニットの組み立て構成図であり、（ａ）は正面から見た図、（ｂ）は側面から見た図である。
【図４】図３の４−４線に沿う断面図である。
【図５】図３の５−５線に沿う断面図である。
【考案を実施するための形態】
【００１３】
図１および図２は、この考案の玄関ユニット１０の互いに異なる取り付け形態を示す図である。この例の玄関ユニット１０は、長手方向の軸線に沿う長さがたとえば２ｍほどあり、その長さは玄関扉３０の高さにほぼ相当する。
【００１４】
マンションなどの集合住宅においては、共有通路に面して各戸の玄関を順次配置する。そのため、隣戸との区別をするため、玄関は共有通路から少し奥まった構成にすることが行われる。そこで、玄関前には、玄関扉３０の左右両側に交差した壁がある。すなわち、玄関扉３０の面に沿うあるいは平行する第１の建物壁面５１と、それに直交する第２の建物壁面５２である。
【００１５】
図１に示す第１の取り付け形態では、建物壁面５１，５２が交差する入れ隅（隅部）に玄関ユニット１０を設置する。それに対し、図２に示す第２の取り付け形態では、玄関扉３０の面に連なる第１の建物壁面５１の平らな部分に設置する。後で述べるように、玄関ユニット１０は、三つの面に囲まれた断面三角型である。第１の取り付け形態の場合には、表示面とは別の二つの面をそれぞれ建物壁面５１，５２に沿わせるように玄関ユニット１０を配置し、また、第２の取り付け形態の場合には、表示面とは別の二つの面の一方を建物壁面５１に沿わせるように玄関ユニット１０を配置する。それにより、第１の取り付け形態によれば、入れ隅部分を有効に利用した取り付けを行うことができる。また、第２の取り付け形態によれば、玄関ユニット１０の一つの面と入れ隅を作る建物壁面５１，５２とによって、仕切り空間を区画することができる。その仕切り空間には、空調用の屋外機などを置くことができる。
【００１６】
次に、図３の組み立て構成図、ならびに図４および図５の各断面図を参照しながら、玄関ユニット１０の具体的な構成を明らかにする。玄関ユニット１０の主体は、三角型の断面形状を作る外側の三面である。一つは、室名札や表札などの表示機能を果たす表示パネル面となる第１面１１０であり、残りの二つは、その第１面１１０と相俟って全体として三角型のケーシングを形作る第２面１２０および第３面１３０である。この場合、第２面１２０および第３面１３０は、対称的な構成であって、交わる角度がほぼ直角である。
【００１７】
玄関ユニットには、表示機能のほか、玄関に適したいろいろな機能を備えることができる。図に示す玄関ユニット１０は、図３に示すように、上部から下部に向かって、ＬＥＤ２１を含む照明機能、室名札２２を含む表示機能、インターホン子機カメラ２３およびインターホン子機２４を含むインターホン機能、新聞受け金具２５を含む新聞受け機能、さらには前面の蓋２６を含む物入れ機能を備える。  
【００１８】
ここで、表示パネル面となる第１面１１０については、下部の蓋２６をはじめ、上部の照明部分のカバーおよびインターホン部分のカバーをそれぞれアクリル板で構成する。各部分のアクリル板は、それぞれに適した透明性や色を選ぶようにする。たとえば、上部の照明部分については半透明、インターホン部分および物入れの部分は不透明にし、それぞれが建物壁面５１，５２や玄関扉３０と合う色にする。なお、アクリル板からなる各部材は、化粧ビスなどの一般的な固定手段により、第２面１２０および第３面１３０に対して固定することができる。
【００１９】
第１面１１０を支持する第２面１２０および第３面１３０は、表面を焼き付けおよび粉体塗装した亜鉛めっき鋼板で構成する。玄関ユニット１０の長さあるいは高さはかなり大きいので、第２面１２０、第３面１３０の各面を一枚の亜鉛めっき鋼板で覆うことなく、上下二枚に分けるようにする。また、亜鉛めっき鋼板は比較的に薄い金属板材であるため、折り曲げ加工が容易である。そこで、第２面１２０と第３面１３０とが交わる一方の端部１４０にＬ状の折り曲げ部を設け、そのＬ状の折り曲げ部を利用して第２面１２０と第３面１３０とを連結することができる。また、第２面１２０と第３面１３０とが交わる側とは反対の端部１５０には、複数の折り曲げ部を設けることにより、その部分の機械的な強度を増強する。そして、増強した端部に、アタッチメント部材を用いて第１面１１０の各アクリル板を取り付ける。
【００２０】
さて、このような断面形状が三角型のハウジングを含む玄関ユニット１０については、建物壁面５１，５２に設けたアンカー部材などを用いて、建物壁面に密に取り付けることもできるし、場合によっては、建物壁面との間にすき間をあけて取り付けることができる。そのような取り付けによって、既に述べた第１の取り付け形態あるいは第２の取り付け形態を得ることができる。
【００２１】
図に示した玄関ユニット１０は、玄関扉３０の高さに匹敵するほどの長いものであるが、下部の新聞受け部分や物入れ部分を省略した短めのものにすることもできる。ただ、第２の取り付け形態によって仕切り空間を構成することを考えると、玄関ユニットの下端をできるだけフロア面の近くに配置することが好ましい。
【符号の説明】
【００２２】
１０  玄関ユニット
３０  玄関扉
５１，５２  建物壁面
１１０  第１面
１２０  第２面
１３０  第３面
【図１】
0003180981.tif 000003
【図２】
0003180981.tif 000004
【図３】
0003180981.tif 000005
【図４】
0003180981.tif 000006
【図５】
0003180981.tif 000007